(57)【要約】      （修正有）【課題】下肢に麻痺がある人が、様々な状況で下肢を動かすために使用しやすい下腿上腿部動作介助バンドを提供する。【解決手段】介助バンド２は、第１の方向に延び、上腿の長手方向の位置を調整可能に上腿に巻き付けられる第１の帯状部３と、第１の帯状部と離隔して、第１の帯状部と略平行に配置され、下腿の長手方向の位置を調整可能に下腿に巻き付けられる第２の帯状部４と、第１の方向に対して略直角な方向に配置され、両端部がそれぞれ第１と第２の帯状部の中間部に結合され、膝の後側に配置される第３の帯状部５と、第１の帯状部の両端部にそれぞれ固定され、第１の帯状部を上腿に巻き付けたときに互いに結合可能な一対の第１の面ファスナー３ａ、３ｂと、第２の帯状部の両端部にそれぞれ固定され、第２の帯状部を下腿に巻き付けたときに互いに結合可能な一対の第２の面ファスナー４ａ、４ｂと、を有する。【選択図】図３
0003229072.tif 000002
【実用新案登録請求の範囲】
【請求項１】
第１の方向に延び、上腿の長手方向の位置を調整可能に上腿に巻き付けられる第１の帯状部と、
前記第１の帯状部と離隔して、前記第１の帯状部と略平行に配置され、下腿の長手方向の位置を調整可能に下腿に巻き付けられる第２の帯状部と、
前記第１の方向に対して略直角な方向に配置され、両端部がそれぞれ前記第１の帯状部の中間部と前記第２の帯状部の中間部に結合され、膝の後側に配置される第３の帯状部と、
前記第１の帯状部の両端部にそれぞれ固定され、前記第１の帯状部を上腿に巻き付けたときに互いに結合可能な一対の第１の面ファスナーと、
前記第２の帯状部の両端部にそれぞれ固定され、前記第２の帯状部を下腿に巻き付けたときに互いに結合可能な一対の第２の面ファスナーと、を有する下腿上腿部動作介助バンド。
【請求項２】
前記第３の帯状部が、前記第１の帯状部の長手方向の中央よりも一方の端部に近い側で前記第１の帯状部に結合され、
前記第１の帯状部を使用者の上腿に巻き付けたときに、前記一対の第１の面ファスナーが、左上腿においては左上腿に対して使用者の左側、右上腿においては右上腿に対して使用者の右側に配置される請求項１に記載の下腿上腿部動作介助バンド。
【請求項３】
前記一対の第１の面ファスナーが、前記第１の帯状部を上腿に巻き付けたときに、上腿の上側から下側に延びる前記第１の帯状部の端部が上腿の径方向内側、上腿の下側から上側に延びる前記第１の帯状部の端部が上腿の径方向外側になるように重なって結合する請求項２に記載の下腿上腿部動作介助バンド。
【請求項４】
前記第３の帯状部は、前記第２の帯状部の長手方向の中央よりも一方の端部に近い側で前記第２の帯状部に結合され、
前記第２の帯状部を使用者の下腿に巻き付けたときに、前記一対の第２の面ファスナーが、左下腿においては左下腿に対して使用者の左側、右下腿においては右下腿に対して使用者の右側に配置される請求項１から３のいずれか一項に記載の下腿上腿部動作介助バンド。
【請求項５】
前記一対の第２の面ファスナーが、前記第２の帯状部を下腿に巻き付けたときに、下腿の前側から後側に延びる第２の帯状部の端部が下腿の径方向内側、下腿の後側から前側に延びる第２の帯状部の端部が下腿の径方向外側になるように重なって結合される請求項４に記載の下腿上腿部動作介助バンド。
【請求項６】
前記第３の帯状部は、前記第１の帯状部および前記第２の帯状部を挟んで２重に構成されている請求項１から５のいずれか一項に記載の下腿上腿部動作介助バンド。
【考案の詳細な説明】
【技術分野】
【０００１】
本考案は、脊椎損傷などにより下肢に麻痺がある人に適した下腿上腿部動作介助バンドに関するものである。
【背景技術】
【０００２】
高齢者や障害を抱える人が通常歩行や階段歩行などで足を上げるのを補助する膝サポーターが提案されている（特許文献１参照）。
【先行技術文献】
【特許文献】
【０００３】
【特許文献１】実用新案登録第３１６７６１７号
【考案の概要】
【考案が解決しようとする課題】
【０００４】
特許文献１の膝サポーターは、歩行可能な人による使用が想定されており、下肢を動かすために使用者が掴む部分が取っ手に限られるため、脊椎損傷などにより完全に下肢全体に麻痺がある人が、様々な状況で下肢の各部位を独立して精細に動かすためには使用しにくいという問題がある。
【０００５】
本考案は以上の点を考慮してなされたもので、完全に下肢全体に麻痺がある人が、様々な状況で下肢の各部位を独立して精細に動かすために使用しやすい下腿上腿部動作介助バンドを提供することを目的とする。
【課題を解決するための手段】
【０００６】
かかる課題を解決するため本考案の下腿上腿部動作介助バンドは、
第１の方向に延び、上腿の長手方向の位置を調整可能に上腿に巻き付けられる第１の帯状部と、
前記第１の帯状部と離隔して、前記第１の帯状部と略平行に配置され、下腿の長手方向の位置を調整可能に下腿に巻き付けられる第２の帯状部と、
前記第１の方向に対して略直角な方向に配置され、両端部がそれぞれ前記第１の帯状部の中間部と前記第２の帯状部の中間部に結合され、膝の後側に配置される第３の帯状部と、
前記第１の帯状部の両端部にそれぞれ固定され、前記第１の帯状部を上腿に巻き付けたときに互いに結合可能な一対の第１の面ファスナーと、
前記第２の帯状部の両端部にそれぞれ固定され、前記第２の帯状部を下腿に巻き付けたときに互いに結合可能な一対の第２の面ファスナーと、を有するものとする。
【考案の効果】
【０００７】
本考案によれば、完全に下肢全体に麻痺がある人が、様々な状況で下肢の各部位を独立して精細に動かすために使用しやすい下腿上腿部動作介助バンドを提供することができる。
【図面の簡単な説明】
【０００８】
【図１】本願の実施形態に係る下腿上腿部動作介助バンドを示す平面図である。図１（ａ）は左下肢用の下腿上腿部動作介助バンドの上面、図１（ｂ）は右下肢用の下腿上腿部動作介助バンドの上面を示す。
【図２】本願の実施形態に係る下腿上腿部動作介助バンドの図１（ａ）に示すＡ−Ａ断面図である。
【図３】本願の実施形態に係る下腿上腿部動作介助バンドを使用者に取り付けた状態を示す斜視図である。図３（ａ）は膝の前側から見た図、図３（ｂ）は膝の後側から見た図である。
【考案を実施するための形態】
【０００９】
以下、図１から図３を参照して、本願の実施形態に係る下腿上腿部動作介助バンド２について説明する。本願において、上下、左右、前後と言うときは、特に記載がない限り、椅子に座った状態の使用者にとっての上下、左右、前後を意味するものとする。図１（ａ）は左下肢用の下腿上腿部動作介助バンド２、図１（ｂ）は右下肢用の下腿上腿部動作介助バンド２を示している。
【００１０】
下腿上腿部動作介助バンド２は、図１（ａ）及び図１（ｂ）に示すように、第１の帯状部３と、第２の帯状部４と、第３の帯状部５と、一対の第１の面ファスナー３ａ、３ｂと、一対の第２の面ファスナー４ａ、４ｂとを有する。
【００１１】
第１の帯状部３は、図１に示すように、下腿上腿部動作介助バンド２を広げた状態において、第１の方向（図１の左右方向）に延びる帯状をしている。第１の帯状部３は、図３に示すように、使用者の上腿の長手方向の位置を調整可能に上腿に巻き付けられる。第１の面ファスナー３ａ、３ｂの第１の方向の寸法を長く設定することで、使用者の上腿の長手方向の位置に応じた上腿の太さに対応しやすくなる。
【００１２】
第２の帯状部４は、図１に示すように、下腿上腿部動作介助バンド２を広げた状態において、第１の帯状部３と離隔して、第１の帯状部３と略平行に配置されている。第２の帯状部４は、図３に示すように、使用者の下腿の長手方向の位置を調整可能に下腿に巻き付けられる。第２の面ファスナー４ａ、４ｂの第１の方向の寸法を長く設定することで、使用者の下腿の長手方向の位置に応じた下腿の太さに対応しやすくなる。
【００１３】
第３の帯状部５は、図１に示すように、下腿上腿部動作介助バンド２を広げた状態において、第１の帯状部３および第２の帯状部４が延びる第１の方向に対して略垂直な方向に配置され、両端部がそれぞれ第１の帯状部３と第２の帯状部４の中間部に結合される。第３の帯状部５は、図３（ｂ）に示すように、下腿上腿部動作介助バンド２を使用者に取り付けた状態において、使用者の膝の後側に配置される。
【００１４】
一対の第１の面ファスナー３ａ、３ｂは、第１の帯状部３の両端部にそれぞれ固定される。一対の第１の面ファスナー３ａ、３ｂは、第１の帯状部３を使用者の上腿に巻き付けたときに互いに結合する。図１に示すように、下腿上腿部動作介助バンド２を広げた状態において、第１の面ファスナー３ａは、第３の帯状部５から遠い側の端部の下面に固定され、第１の面ファスナー３ｂは、第３の帯状部５から近い側の端部の上面に固定される。
【００１５】
一対の第２の面ファスナー４ａ、４ｂは、第２の帯状部４の両端部にそれぞれ固定される。一対の第２の面ファスナー４ａ、４ｂは、第２の帯状部４を使用者の下腿に巻き付けたときに互いに結合する。図１に示すように、下腿上腿部動作介助バンド２を広げた状態において、第２の面ファスナー４ａは、第３の帯状部５から遠い側の端部の下面に固定され、第２の面ファスナー４ｂは、第３の帯状部５から近い側の端部の上面に固定される。
【００１６】
第１の帯状部３、第２の帯状部４、第３の帯状部５は、ナイロンなどから形成したリップストップ生地から形成されることが好ましい。これにより、高い強度を持たせることができる。
【００１７】
一対の第１の面ファスナー３ａ、３ｂ及び一対の第２の面ファスナー４ａ、４ｂは、使用者が下肢を動かす際に生じる引張せん断力に耐えられる結合力を有するものとする。
【００１８】
第１の帯状部３、第２の帯状部４、第３の帯状部５、第１の面ファスナー３ａ、３ｂ、第２の面ファスナー４ａ、４ｂ間の固定は、高強度ポリマー糸、ケブラー糸などの強度の高い糸により縫い付けることによって行うことが好ましい。これにより、高い強度を持たせることができる。
【００１９】
第３の帯状部５は、図１に示すように、第１の帯状部３の長手方向の中央よりも一方の端部に近い側（図１（ａ）の右側、図１（ｂ）の左側）で、第１の帯状部３に結合され、第１の帯状部３を使用者の上腿に巻き付けたときに、一対の第１の面ファスナー３ａ、３ｂが、左上腿においては左上腿に対して使用者の左側、右上腿においては右上腿に対して使用者の右側に配置されることが好ましい。
【００２０】
また、一対の第１の面ファスナー３ａ、３ｂをこのように配置した場合、一対の第１の面ファスナー３ａ、３ｂは、第１の帯状部３を上腿に巻き付けたときに、上腿の上側から下側に延びる第１の帯状部３の端部（第１の面ファスナー３ａが固定された部分）が上腿の径方向（長手方向に垂直な方向）内側、上腿の下側から上側に延びる第１の帯状部３の端部（第１の面ファスナー３ｂが固定された部分）が上腿の径方向外側になるように重なって結合することが好ましい。これにより、使用者が下腿上腿部動作介助バンド２を取り外す際、一対の第１の面ファスナー３ａ、３ｂをはがしやすくなる。さらに、第１の面ファスナー３ａをフック側（オス側）、第１の面ファスナー３ｂをループ側（メス側）とすることが好ましい。これにより、第１の面ファスナー３ａ、３ｂの結合を解く際に手で掴む側が耐久性の高いフック側となり、ループ側とするよりも長持ちさせることができる。
【００２１】
第３の帯状部５は、第２の帯状部４の長手方向の中央よりも一方の端部に近い側（図１（ａ）の右側、図１（ｂ）の左側）で第２の帯状部４に結合され、第２の帯状部４を使用者の下腿に巻き付けたときに、一対の第２の面ファスナー４ａ、４ｂが、左下腿においては左下腿に対して使用者の左側、右下腿においては右下腿に対して使用者の右側に配置されることが好ましい。
【００２２】
また、一対の第２の面ファスナー４ａ、４ｂをこのように配置した場合、一対の第２の面ファスナー４ａ、４ｂが、第２の帯状部４を下腿に巻き付けたときに、下腿の前側から後側に延びる第２の帯状部４の端部（第２の面ファスナー４ａが固定された部分）が下腿の径方向（長手方向に垂直な方向）内側、下腿の後側から前側に延びる第２の帯状部の端部（第２の面ファスナー４ｂが固定された部分）が下腿の径方向外側になるように重なって結合されることが好ましい。これにより、使用者が下腿上腿部動作介助バンド２を取り外す際、一対の第２の面ファスナー４ａ、４ｂをはがしやすくなる。さらに、第２の面ファスナー４ａをフック側（オス側）、第２の面ファスナー４ｂをループ側（メス側）とすることが好ましい。これにより、第２の面ファスナー４ａ、４ｂの結合を解く際に手で掴む側が耐久性の高いフック側となり、ループ側とするよりも長持ちさせることができる。
【００２３】
第３の帯状部５は、図２に示すように、第１の帯状部３および第２の帯状部４を挟んで２重に構成されることが好ましい。これにより、第１の帯状部３、第２の帯状部４との固定をより強固なものとすることができる。第１の帯状部３、第２の帯状部４、第３の帯状部５は、厚さ方向が互いに同一になる向きに配置されていることが好ましい。
【００２４】
以上に説明した下腿上腿部動作介助バンド２は、図３に示すように、第１の帯状部３と第２の帯状部４及び第３の帯状部５のあらゆる箇所をつかんで下肢を動かすことができるため、下肢に麻痺がある人が、様々な状況で下肢を動かすために使用することができる。
【００２５】
例えば、使用者が車椅子に座った状態で足を持ち上げてフットサポートに載せる時には、第１の帯状部３の上側部分をつかんで下肢を持ち上げることができる。また、使用者が椅子に座った状態で下肢を左右にずらす時には、第２の帯状部４の左側又は右側部分をつかむことができる。また、使用者が椅子に座った状態で膝を伸ばして、足を台の上に乗せるときには、第２の帯状部４の前側部分又は第３の帯状部５をつかんで下腿を引っ張り上げることができる。また、左右の上腿に巻き付けた第１の帯状部３のそれぞれに端部を結び付けた紐を用意することで、使用者が寝返りを打つときに、その紐を使って下肢を動かすことができる。
【００２６】
また、下腿上腿部動作介助バンド２によれば、これらの動作を行う際に、第１の帯状部３と第２の帯状部４を、上腿又は下腿を動かしやすい位置に調整することができる。図３（ｂ）に示す状態では、第３の帯状部５が撓んでいるが、第３の帯状部５が張った状態になるまで、第１の帯状部３を後側（股関節側）へ、又は、第２の帯状部４の位置を下側へ移動させることができる。例えば、下肢全体を持ち上げる際には、第１の帯状部３を後側へ移動させることで、より軽い力で下肢全体を持ち上げることが可能となる。
【符号の説明】
【００２７】
２  下腿上腿部動作介助バンド
３  第１の帯状部
３ａ、３ｂ  第１の面ファスナー
４  第２の帯状部
４ａ、４Ｂ  第２の面ファスナー
５  第３の帯状部
【図１】
0003229072.tif 000003
【図２】
0003229072.tif 000004
【図３】
0003229072.tif 000005